(57)【要約】【課題】  被処理水の水質によってオゾン注入量が大幅に変動しても、適切なタイミングで過酸化水素の適正注入制御が可能な促進酸化水処理における過酸化水素注入制御方法および装置を提供する。【解決手段】  促進酸化処理工程での過酸化水素の注入量は、オゾン注入量に対する所定比率とし、過酸化水素の注入は過酸化水素を水で希釈した過酸化水素水により行い、その際、被処理水のＴＯＣもしくは紫外部吸光度の少なくともいずれかの計測値に基づいて、過酸化水素水の必要注入量を予測し、これに基づき前記希釈倍率を少なくとも１回変更し、その変更はＴＯＣもしくは紫外部吸光度の測定値が大（または小）のとき、希釈倍率を小（または大）とし、オゾン注入量に対して予め定めた比率の過酸化水素注入量になるように、過酸化水素水の希釈濃度に基づき促進酸化処理工程に添加する量を制御する。【選択図】  図２
2006281061.tif 000002
【特許請求の範囲】
【請求項１】
被処理水に対して、オゾン接触槽においてオゾンガスと接触・混合してオゾン処理を行った後、促進酸化処理槽においてオゾンガスおよび過酸化水素を混合・注入して促進酸化処理を行う促進酸化水処理方法における過酸化水素の注入制御方法において、前記促進酸化処理工程における過酸化水素の注入量は、促進酸化処理工程におけるオゾン注入量に対して予め定めた比率とし、かつ過酸化水素の注入は、過酸化水素を水で希釈した過酸化水素水により行い、その際、被処理水の全有機炭素（ＴＯＣ）もしくは紫外部吸光度の少なくともいずれかを計測し、この計測値に基づいて、過酸化水素水の必要注入量を予測し、その予測に基づいて前記過酸化水素の水による希釈倍率を少なくとも１回変更することとし、その変更は、前記ＴＯＣもしくは紫外部吸光度の測定値が大（または小）のとき、前記希釈倍率を小（または大）とし、前記促進酸化処理工程におけるオゾン注入量に対して予め定めた比率の過酸化水素注入量になるように、前記過酸化水素水の希釈濃度に基づき前記促進酸化処理工程において添加する量を制御することを特徴とする促進酸化水処理方法における過酸化水素注入制御方法。
【請求項２】
被処理水に対して、オゾン接触槽においてオゾンガスと接触・混合してオゾン処理を行った後、促進酸化処理槽においてオゾンガスおよび過酸化水素を混合・注入して促進酸化処理を行う促進酸化水処理方法における過酸化水素の注入制御方法において、被処理水中の全有機炭素（ＴＯＣ）の値及び／又は紫外部吸光度の値に対する前記促進酸化処理工程におけるオゾン注入量との関係を予め定めておき、被処理水の全有機炭素（ＴＯＣ）もしくは紫外部吸光度の少なくともいずれかを計測し、前記計測値と予め定めた前記オゾン注入量との関係に基づいて前記促進酸化処理工程におけるオゾン注入量を決め、前記促進酸化処理工程における過酸化水素の注入量は、促進酸化処理工程におけるオゾン注入量に対して予め定めた比率とし、かつ過酸化水素の注入は、過酸化水素を水で希釈した過酸化水素水により行い、その際、前記過酸化水素の水による希釈倍率を少なくとも１回変更することとし、その変更は、前記ＴＯＣもしくは紫外部吸光度の測定値が大（または小）のとき、前記希釈倍率を小（または大）とし、前記促進酸化処理工程におけるオゾン注入量に対して予め定めた比率の過酸化水素注入量になるように、前記過酸化水素水の希釈濃度に基づき前記促進酸化処理工程において添加する量を制御することを特徴とする促進酸化水処理方法における過酸化水素注入制御方法。
【請求項３】
請求項１または２に記載の過酸化水素注入制御方法において、前記過酸化水素を希釈する水は、促進酸化水処理方法により処理された高度処理水、もしくは膜ろ過水あるいは水道水を脱塩素処理した脱塩素水、もしくはイオン交換水とすることを特徴とする促進酸化水処理方法における過酸化水素注入制御方法。
【請求項４】
請求項１または２に記載の過酸化水素注入制御方法において、前記過酸化水素の水による希釈倍率の少なくとも１回の変更は、希釈倍率の異なる少なくとも２種類の濃度に希釈した添加用過酸化水素水貯蔵タンクからいずれかを選択し、選択した添加用過酸化水素水貯蔵タンクから前記促進酸化処理槽に過酸化水素水の注入を行うことを特徴とする促進酸化水処理方法における過酸化水素注入制御方法。
【請求項５】
被処理水に対して、オゾン接触槽においてオゾンガスと接触・混合してオゾン処理を行った後、促進酸化処理槽においてオゾンガスおよび過酸化水素を混合・注入して促進酸化処理を行う促進酸化水処理方法における過酸化水素の注入制御方法において、前記促進酸化処理工程における過酸化水素の注入量は、促進酸化処理工程におけるオゾン注入量に対して予め定めた比率とし、かつ過酸化水素の注入は、過酸化水素を所定倍率で水で希釈した過酸化水素水により行い、前記過酸化水素水を複数台の流量可変ポンプの流量により、前記促進酸化処理工程への添加する量を制御し、その際、被処理水の全有機炭素（ＴＯＣ）もしくは紫外部吸光度の少なくともいずれかを計測し、この計測値に基づいて、過酸化水素水の必要注入量を予測し、その予測に基づいてその増減は、前記複数台の流量可変ポンプの可動台数を決定しておき、前記促進酸化処理工程におけるオゾン注入量に対して予め定めた比率の過酸化水素注入量になるように、前記複数台の流量可変ポンプの流量制御を行うことを特徴とする促進酸化水処理方法における過酸化水素注入制御方法。
【請求項６】
被処理水に対して、オゾン接触槽においてオゾンガスと接触・混合してオゾン処理を行った後、促進酸化処理槽においてオゾンガスおよび過酸化水素を混合・注入して促進酸化処理を行う促進酸化水処理方法における過酸化水素の注入制御方法において、被処理水中の全有機炭素（ＴＯＣ）の値及び／又は紫外部吸光度の値に対する前記促進酸化処理工程におけるオゾン注入量との関係を予め定めておき、被処理水の全有機炭素（ＴＯＣ）もしくは紫外部吸光度の少なくともいずれかを計測し、前記計測値と予め定めた前記オゾン注入量との関係に基づいて前記促進酸化処理工程におけるオゾン注入量を決め、前記促進酸化処理工程における過酸化水素の注入量は、促進酸化処理工程におけるオゾン注入量に対して予め定めた比率とし、かつ過酸化水素の注入は、過酸化水素を所定倍率で水で希釈した過酸化水素水を複数台の流量可変ポンプの流量制御により行うことを特徴とする促進酸化水処理方法における過酸化水素注入制御方法。
【請求項７】
請求項２または６に記載の過酸化水素注入制御方法において、前記ＴＯＣもしくは紫外部吸光度の測定値の変化に伴い前記促進酸化処理工程におけるオゾン注入量を変化させて、そのオゾン注入量の変化に応じて過酸化水素水の注入量の制御を行う際、測定時点とその結果に応じた過酸化水素水の注入量の添加時点との間に、予め定めた所定のタイムラグを設け、注入量の添加時点を測定時点より所定時間遅延させることを特徴とする促進酸化水処理方法における過酸化水素注入制御方法。
【請求項８】
請求項１または２に記載の過酸化水素注入制御方法を実施する装置であって、オゾン接触槽と、その後段に設けた促進酸化処理槽と、過酸化水素水貯蔵タンクと、過酸化水素水注入用可変ポンプと、被処理水のＴＯＣもしくは紫外部吸光度の計測手段と、過酸化水素の希釈水供給手段と、オゾンガスおよび過酸化水素水注入量制御手段および希釈倍率変更制御手段とを備えることを特徴とする促進酸化水処理方法における過酸化水素注入制御装置。
【請求項９】
請求項５または６に記載の過酸化水素注入制御方法を実施する装置であって、オゾン接触槽と、その後段に設けた促進酸化処理槽と、過酸化水素水貯蔵タンクと、複数台の過酸化水素水注入用可変ポンプと、被処理水の全有機炭素（ＴＯＣ）もしくは紫外部吸光度の計測手段と、過酸化水素の希釈水供給手段と、オゾンガスおよび過酸化水素水注入量制御手段とを備えることを特徴とする促進酸化水処理方法における過酸化水素注入制御装置。
【発明の詳細な説明】
【技術分野】
【０００１】
この発明は、オゾンおよび過酸化水素を併用して水中の難分解性物質の酸化分解を行う促進酸化水処理方法における過酸化水素注入制御方法および装置に関する。
【背景技術】
【０００２】
オゾンは強力な酸化力を有し、オゾンガスを水中に散気することにより殺菌、脱色、脱臭、有機物もしくは無機物の酸化除去等を行う水処理が広く行われている。特に、都市近郊の水道では、取水源に起因する異臭味の被害が広がっており、先に述べたオゾンの持つ強力な酸化力はこの異臭味除去に大きな効果を発揮することから、オゾン及び活性炭を用いた高度処理の導入が進められている。
【０００３】
また、近年では、特に難分解性物質の分解を目的に、より酸化力を高めた促進酸化法が用いられている。促進酸化法とは、オゾンと紫外線照射、過酸化水素添加などを組合せることで、オゾンの自己分解を促進し、その際に発生するヒドロキシラジカル（ＯＨラジカル）の生成を促進することで、より酸化力を高め、オゾン単独では分解困難な物質の分解を効率的に行う手法である。
【０００４】
オゾンと過酸化水素を用いた促進酸化処理では、過酸化水素注入率がオゾン注入率より大きい場合、溶存オゾン濃度が検知されず、これまでの溶存オゾンフィードバック制御が困難になることが考えられる。この問題を解決するために、オゾンと過酸化水素の注入量の制御方法として、被処理水では添加するオゾン量とその結果被処理水中の溶存オゾン濃度は線形関係にあり、汚濁物質濃度をパラメータとしてほぼ平行になることに着目し、予め処理しようとする被処理水について、添加するオゾン量と溶存オゾン濃度との線形関係を実験、経験等より求めておき、被処理水に適量のオゾンを添加して溶存オゾンを測定し、オゾン添加量の目標値を設定して制御することが行われている。そして、過酸化水素の添加量は、溶存オゾン濃度の測定値、またはオゾン添加量にもとづいて制御する方法がある（特許文献１参照）。
【０００５】
なお、過酸化水素注入量は、過酸化水素とオゾンとの比率を所定の比率（例えば、モル比）として制御することが好ましく、この比率は、臭素酸イオン（発癌性物質）の生成を抑制できるように、被処理水の水質によって適切な値を選定することが好ましい。
【０００６】
また、市販の過酸化水素は上水に用いるには濃度が高く、例えば過酸化水素水で過酸化水素の濃度は4×108mg/L程度である。実際、上記制御法にて上水で使用する過酸化水素の注入量は20mg/L程度以下であり、薬注ポンプの注入流量範囲で運転できるように、一度、過酸化水素を希釈し、過酸化水素水を作ってから注入することが好ましい。しかしながら、被処理水におけるオゾン消費性物質によって、上記制御法のオゾン注入率は0.3mg/L〜3mg/Lと大きく変わり、それに伴って過酸化水素水の注入量も大幅に変動する。
【０００７】
ところで、薬注ポンプの流量範囲は下記理由により限定的であり、過酸化水素濃度を一定にしておくと、必要な過酸化水素水量を注入できない問題がある。図９は、薬注ポンプの単位時間当たりのストローク数（spm）と流量（mL/min）との関係を示す図である。図９によれば、流量は高々２０mL/minである。流量勾配やストローク数を増大してポンプ流量を増大させると、過酸化水素水が酸素と結合して分解し、正確な流量制御が不可能となる問題があり、大容量の薬注ポンプの場合、細かい流量制御が困難となる。そのため、前述のように水質によってオゾン注入率が増大した場合、過酸化水素水の供給が不足する問題が生ずる。
【０００８】
さらに、前記特許文献１に記載された発明のように、前段のオゾン処理槽出口における溶存オゾン濃度値を測定し、この測定値に基づいて、後段の促進酸化処理槽へのオゾン注入量、および過酸化水素注入量を制御する場合には、測定対象とするオゾン処理槽内の水が、直ちに（測定と同時に）促進酸化処理槽へ導入されるので、被処理水の水質が急に変動した場合に、促進酸化処理槽への過酸化水素注入量を適正なタイミングで変化させることができない、即ち、制御が遅延する問題がある。
【特許文献１】特開２００１−９８４号公報
【発明の開示】
【発明が解決しようとする課題】
【０００９】
この発明は、上記のような点に鑑みてなされたもので、この発明の課題は、被処理水の水質によってオゾン注入量が大幅に変動しても、適切なタイミングで適正量の過酸化水素の注入制御が可能な促進酸化水処理方法における過酸化水素注入制御方法および装置を提供することにある。
【課題を解決するための手段】
【００１０】
前述の課題を解決するため、この発明は、被処理水に対して、オゾン接触槽においてオゾンガスと接触・混合してオゾン処理を行った後、促進酸化処理槽においてオゾンガスおよび過酸化水素を混合・注入して促進酸化処理を行う促進酸化水処理方法における過酸化水素の注入制御方法において、前記促進酸化処理工程における過酸化水素の注入量は、促進酸化処理工程におけるオゾン注入量に対して予め定めた比率とし、かつ過酸化水素の注入は、過酸化水素を水で希釈した過酸化水素水により行い、その際、被処理水の全有機炭素（ＴＯＣ）もしくは紫外部吸光度の少なくともいずれかを計測し、この計測値に基づいて、過酸化水素水の必要注入量を予測し、その予測に基づいて前記過酸化水素の水による希釈倍率を少なくとも１回変更することとし、その変更は、前記ＴＯＣもしくは紫外部吸光度の測定値が大（または小）のとき、前記希釈倍率を小（または大）とし、前記促進酸化処理工程におけるオゾン注入量に対して予め定めた比率の過酸化水素注入量になるように、前記過酸化水素水の希釈濃度に基づき前記促進酸化処理工程において添加する量を制御することを特徴とする（請求項１）。
【００１１】
また、下記請求項２の発明によっても前記課題は解決できる。即ち、被処理水に対して、オゾン接触槽においてオゾンガスと接触・混合してオゾン処理を行った後、促進酸化処理槽においてオゾンガスおよび過酸化水素を混合・注入して促進酸化処理を行う促進酸化水処理方法における過酸化水素の注入制御方法において、被処理水中の全有機炭素（ＴＯＣ）の値及び／又は紫外部吸光度の値に対する前記促進酸化処理工程におけるオゾン注入量との関係を予め定めておき、被処理水の全有機炭素（ＴＯＣ）もしくは紫外部吸光度の少なくともいずれかを計測し、前記計測値と予め定めた前記オゾン注入量との関係に基づいて前記促進酸化処理工程におけるオゾン注入量を決め、前記促進酸化処理工程における過酸化水素の注入量は、促進酸化処理工程におけるオゾン注入量に対して予め定めた比率とし、かつ過酸化水素の注入は、過酸化水素を水で希釈した過酸化水素水により行い、その際、前記過酸化水素の水による希釈倍率を少なくとも１回変更することとし、その変更は、前記ＴＯＣもしくは紫外部吸光度の測定値が大（または小）のとき、前記希釈倍率を小（または大）とし、前記促進酸化処理工程におけるオゾン注入量に対して予め定めた比率の過酸化水素注入量になるように、前記過酸化水素水の希釈濃度に基づき前記促進酸化処理工程において添加する量を制御することを特徴とする（請求項２）。
【００１２】
前記請求項１または２の実施態様としては下記請求項３ないし４の発明が好ましい。即ち、前記請求項１または２に記載の過酸化水素注入制御方法において、前記過酸化水素を希釈する水は、促進酸化水処理方法により処理された高度処理水、もしくは膜ろ過水あるいは水道水を脱塩素処理した脱塩素水、もしくはイオン交換水とする（請求項３）。
【００１３】
また、前記請求項１または２に記載の過酸化水素注入制御方法において、前記過酸化水素の水による希釈倍率の少なくとも１回の変更は、希釈倍率の異なる少なくとも２種類の濃度に希釈した添加用過酸化水素水貯蔵タンクからいずれかを選択し、選択した添加用過酸化水素水貯蔵タンクから前記促進酸化処理槽に過酸化水素水の注入を行う（請求項４）。
【００１４】
さらに、前記課題は、下記請求項５または６の発明によっても解決することができる。即ち、被処理水に対して、オゾン接触槽においてオゾンガスと接触・混合してオゾン処理を行った後、促進酸化処理槽においてオゾンガスおよび過酸化水素を混合・注入して促進酸化処理を行う促進酸化水処理方法における過酸化水素の注入制御方法において、前記促進酸化処理工程における過酸化水素の注入量は、促進酸化処理工程におけるオゾン注入量に対して予め定めた比率とし、かつ過酸化水素の注入は、過酸化水素を所定倍率で水で希釈した過酸化水素水により行い、前記過酸化水素水を複数台の流量可変ポンプの流量により、前記促進酸化処理工程への添加する量を制御し、その際、被処理水の全有機炭素（ＴＯＣ）もしくは紫外部吸光度の少なくともいずれかを計測し、この計測値に基づいて、過酸化水素水の必要注入量を予測し、その予測に基づいてその増減は、前記複数台の流量可変ポンプの可動台数を決定しておき、前記促進酸化処理工程におけるオゾン注入量に対して予め定めた比率の過酸化水素注入量になるように、前記複数台の流量可変ポンプの流量制御を行うことを特徴とする（請求項５）。
【００１５】
また、被処理水に対して、オゾン接触槽においてオゾンガスと接触・混合してオゾン処理を行った後、促進酸化処理槽においてオゾンガスおよび過酸化水素を混合・注入して促進酸化処理を行う促進酸化水処理方法における過酸化水素の注入制御方法において、被処理水中の全有機炭素（ＴＯＣ）の値及び／又は紫外部吸光度の値に対する前記促進酸化処理工程におけるオゾン注入量との関係を予め定めておき、被処理水の全有機炭素（ＴＯＣ）もしくは紫外部吸光度の少なくともいずれかを計測し、前記計測値と予め定めた前記オゾン注入量との関係に基づいて前記促進酸化処理工程におけるオゾン注入量を決め、前記促進酸化処理工程における過酸化水素の注入量は、促進酸化処理工程におけるオゾン注入量に対して予め定めた比率とし、かつ過酸化水素の注入は、過酸化水素を所定倍率で水で希釈した過酸化水素水を複数台の流量可変ポンプの流量制御により行うことを特徴とする（請求項６）。
【００１６】
上記請求項１ないし６の発明によれば、特許文献１の発明とは異なり、被処理水の全有機炭素（ＴＯＣ）もしくは紫外部吸光度を計測し、この計測値に基づいて、前記ＴＯＣもしくは紫外部吸光度の測定値の増減に伴い過酸化水素水の注入量を増減するので、過酸化水素の注入量を適正なタイミングで変化させることができ、前記制御遅延の問題が解消できる。また、ＴＯＣもしくは紫外部吸光度の測定値に基づいて、過酸化水素の水による希釈倍率を少なくとも１回変更するので、薬注ポンプの流量不足に伴う過酸化水素水の注入量不足が容易に解消でき適正な制御が可能となる。なお、変更の回数は、必要に応じて２回以上にすることができる。詳細は後述する。
【００１７】
また、前記制御遅延とは逆に、前記ＴＯＣもしくは紫外部吸光度の測定値の測定タイミングより、過酸化水素注入量制御のタイミングが速すぎても好ましくないので、この対策上、下記請求項７の発明が好ましい。即ち、前記請求項２または６に記載の過酸化水素注入制御方法において、前記ＴＯＣもしくは紫外部吸光度の測定値の変化に伴い前記促進酸化処理工程におけるオゾン注入量を変化させて、そのオゾン注入量の変化に応じて過酸化水素水の注入量の制御を行う際、測定時点とその結果に応じた過酸化水素水の注入量の添加時点との間に、予め定めた所定のタイムラグを設け、注入量の添加時点を測定時点より所定時間遅延させることを特徴とする（請求項７）。
【００１８】
次に、過酸化水素注入制御装置の発明としては、下記請求項８ないし９の発明が好ましい。即ち、前記請求項１または２に記載の過酸化水素注入制御方法を実施する装置であって、オゾン接触槽と、その後段に設けた促進酸化処理槽と、過酸化水素水貯蔵タンクと、過酸化水素水注入用可変ポンプと、被処理水のＴＯＣもしくは紫外部吸光度の計測手段と、過酸化水素の希釈水供給手段と、オゾンガスおよび過酸化水素水注入量制御手段および希釈倍率変更制御手段とを備えるものとする（請求項８）。
【００１９】
また、前記請求項５または６に記載の過酸化水素注入制御方法を実施する装置であって、オゾン接触槽と、その後段に設けた促進酸化処理槽と、過酸化水素水貯蔵タンクと、複数台の過酸化水素水注入用可変ポンプと、被処理水の全有機炭素（ＴＯＣ）もしくは紫外部吸光度の計測手段と、過酸化水素の希釈水供給手段と、オゾンガスおよび過酸化水素水注入量制御手段とを備えるものとする（請求項９）。
【発明の効果】
【００２０】
この発明によれば、促進酸化水処理方法における過酸化水素注入制御方法および装置において、被処理水の水質によってオゾン注入量が大幅に変動しても、適切なタイミングで適正量の過酸化水素の注入制御が可能となる。
【発明を実施するための最良の形態】
【００２１】
図１ないし図８に基づき、本発明の実施の形態について以下に述べる。実施の形態としては、種々の変形例があるが、まず、図１および２により、基本的な実施形態について述べる。図１は、過酸化水素の希釈液に高度処理水を用いた場合の本発明に係るシステム系統図を示し、図２は、被処理水のＴＯＣとオゾン注入率や過酸化水素注入率等との関係の請求項１または２の発明に係る実施例について説明する図である。
【００２２】
図１において、被処理水は自然流下あるいはポンプ送水により導入口１からオゾン接触槽２内に導入され、オゾン発生装置３において発生するオゾンガスはオゾン散気装置（１）４を経て１段目のオゾン接触槽２内に導入される。オゾン接触槽２内において被処理水中の有機成分はある程度分解され、同時に未反応のオゾンが残留オゾンとして検出される。
【００２３】
オゾン接触槽２から流出した反応後の被処理水は、後段の促進酸化処理槽５に導入され、散気装置（２）６から供給されたオゾンと、過酸化水素注入用可変ポンプ７により注入された過酸化水素と反応する。促進酸化処理槽５内で難分解性成分の分解を進行させた後、生物活性炭塔８等で残留している過酸化水素を分解し、高度処理水として排出口９から系外に排水される。
【００２４】
このとき、制御装置１０では、オゾン接触槽２出口に設けられた溶存オゾン濃度監視装置１１の値を検出することで、オゾン接触槽２へのオゾン注入量を制御すると同時に、促進酸化処理槽５に供給されるオゾンガス注入量を制御し、さらに、過酸化水素注入率がこのオゾンガス注入量とあらかじめ設定された注入比率になるように過酸化水素注入用可変ポンプ７を制御する。なお、促進酸化処理槽５に供給されるオゾンガス注入量は、オゾン接触槽２へのオゾン注入量にリンクしてもよいが独立的に選定されてもよい。ここで、添加用過酸化水素水貯蔵タンク１６内の過酸化水素濃度は、被処理水のＴＯＣをオンラインＴＯＣ計１７で測定し、この測定結果に基づき、市販の過酸化水素水を貯蔵している過酸化水素水貯蔵タンク１２から過酸化水素水を供給する低流量可変ポンプ（１）１３と、返送された高度処理水１４を供給する可変ポンプ（２）１５とを用いて制御する。
【００２５】
次に、図２に基づき、オゾン注入率や過酸化水素注入率等の制御の実施例について述べる。図２は、被処理水の処理流量を20000m3/日とした場合、オゾン注入率をオゾン接触槽２出口の溶存オゾン濃度0.1mg/Lとなるように決定し、過酸化水素注入率は前記オゾン注入率に対してモル比で２倍となるように選定した実施例である。被処理水のTOCが1.4mg/L以下であれば、添加用過酸化水素貯蔵タンク１６内の過酸化水素濃度は35％過酸化水素水を250000倍希釈した濃度1619mg/Lとなるように自動調整する。また、TOCが1.4mg/L以上であれば、添加用過酸化水素貯蔵タンク１６内の過酸化水素濃度は35％過酸化水素水を125000倍希釈した濃度3238mg/Lとなるように自動調整する。
【００２６】
上記のように、被処理水のTOCによって、添加用過酸化水素貯蔵タンク１６内の過酸化水素濃度を変えることによって、過酸化水素注入可変ポンプ７の許容流量範囲内で制御可能となり、水質変動に対して対応可能となる。ここでは、TOC1.4mg/L前後で35％過酸化水素水の希釈率を変動させたが、TOCと希釈率との関係はこの値には限定されず、過酸化水素注入用可変ポンプ７の流量範囲、被処理水の処理流量等の処理条件によって適宜設定される。
【００２７】
次に、図３について述べる。図３は、過酸化水素の希釈液に脱塩素水を用いた場合の一例を示すシステム系統図であり、図１との相違点は、過酸化水素水の希釈液に、図１の返送された高度処理水１４に代えて、水道水を活性炭等を用いて脱塩した脱塩素水１８を用いた点である。なお、オゾン、過酸化水素の注入制御方法は前記図１および図２の場合と同様であるので説明を省略する。
【００２８】
次に、請求項４に関わり、希釈倍率の異なる少なくとも２種類の濃度に希釈した添加用過酸化水素水貯蔵タンクを備え、これらのタンクのいずれかを選択して過酸化水素水を供給する場合の実施形態について述べる。図４は、２つの添加用過酸化水素貯蔵タンクからいずれかのタンクを選択する場合のシステム系統図を示す。図４と図１との相違点は、図４の場合、図１の添加用過酸化水素水貯蔵タンク１６に加えて、部番２１の添加用過酸化水素水貯蔵タンク（２）が設けられ、これに伴い近隣部材と前記タンク（２）とが接続されるラインが付加されている点である。
【００２９】
図４におけるオゾン、過酸化水素の制御方法は図１の場合と同様であり、前記図２に相当する被処理水のＴＯＣとオゾン注入率や過酸化水素注入率等の関係の請求項４の発明に係る実施例については、図７に示す。図７において、添加用過酸化水素貯蔵タンク１は図４における添加用過酸化水素貯蔵タンク１６を示し、同タンク２は図４における添加用過酸化水素貯蔵タンク（２）２１を示す。
【００３０】
図７に示すように、タンク１（添加用過酸化水素貯蔵タンク１６）内の過酸化水素濃度は35％過酸化水素水を250000倍希釈した濃度1619mg/L、タンク２（添加用過酸化水素貯蔵タンク（２）２１）内の過酸化水素濃度は35％過酸化水素水を125000倍希釈した濃度3238mg/Lとなるように自動調整し、被処理水のTOCが1.4mg/L以下であれば、図４における添加用過酸化水素貯蔵タンク１６から過酸化水素注入用可変ポンプ７で過酸化水素を注入する。また、TOCが1.4mg/L以上であれば、添加用過酸化水素貯蔵タンク（２）２１から過酸化水素注入用可変ポンプ７で過酸化水素を注入する。被処理水のTOCによって、濃度の異なった添加用過酸化水素貯蔵タンクのいずれかを選択することによって、過酸化水素注入可変ポンプの許容流量範囲内で制御可能となり、水質変動に対して対応可能となる。ここでは、TOC1.4mg/L前後で２つの濃度の異なった添加用過酸化水素水貯蔵タンクのいずれかを選択したが、TOCおよび添加用過酸化水素水貯蔵タンク内の過酸化水素濃度はこの値には限定されず、過酸化水素注入用可変ポンプの流量範囲、被処理水の処理流量といった処理条件によって適宜設定される。
【００３１】
次に、図５について述べる。図５は、前記図４とは異なるシステム系統図を示す。図５と図４との相違点は、図５の場合、図４における希釈水（高度処理水）に代えて、脱塩素水１８を用いた点と、図４におけるオンラインＴＯＣ計１７に代えて、吸光光度計２０を用いた点である。この場合にも、図７に示した実施例と同様の過酸化水素の注入制御方法が実施できる。
【００３２】
次に、図６および図８について述べる。図６は、過酸化水素注入用可変ポンプが複数の場合であって、過酸化水素の希釈液に高度処理水を用いた場合の本発明に係るシステム系統図を示し、図８は、被処理水のＴＯＣとオゾン注入率や過酸化水素注入率等との関係の請求項５または６の発明に係る実施例について説明する図である。
【００３３】
図６と図１との相違点は、図６の場合、図１の過酸化水素注入用可変ポンプ７に加えて、部番１９の過酸化水素注入用可変ポンプ（２）が設けられ、これに伴い近隣部材と前記可変ポンプ（２）とが接続されるラインが付加されている点である。
【００３４】
図８の実施例は、図２の場合と同様に、被処理水の処理流量を20000m3/日とし、オゾン注入率はオゾン接触槽２出口の溶存オゾン濃度0.1mg/Lとなるように決定し、過酸化水素注入率はオゾン注入率に対してモル比で２倍となるように選定した。図６における添加用過酸化水素貯蔵タンク１６内の過酸化水素濃度は35％過酸化水素水を250000倍希釈した濃度1619mg/Lとなるように自動調整し、被処理水のTOCが1.4mg/L以下であれば、過酸化水素注入用可変ポンプ７の１台で対応する。また、TOCが1.4mg/L以上であれば、過酸化水素注入用可変ポンプ７と過酸化水素注入用可変ポンプ（２）１９の２台で対応する。
【００３５】
上記のように、被処理水のTOCによって、過酸化水素注入用可変ポンプの台数を変えることによって、過酸化水素注入可変ポンプの許容流量範囲内で制御可能となり、水質変動に対して対応可能となる。ここでは、TOC1.4mg/L前後で過酸化水素水注入用可変ポンプの台数を１台か２台かに変動させたが、TOCとポンプ台数との関係はこの値には限定されず、過酸化水素注入用可変ポンプの流量範囲、被処理水の処理流量といった処理条件によって設定される。なお、ポンプ台数は３台以上とすることもできる。
【図面の簡単な説明】
【００３６】
【図１】過酸化水素の希釈液に高度処理水を用いた場合の本発明に係るシステム系統図。
【図２】被処理水のＴＯＣとオゾン注入率や過酸化水素注入率等の関係の請求項１または２の発明に係る実施例について説明する図。
【図３】本発明に係り図１とは異なるシステム系統図（希釈液が脱塩素水の場合）。
【図４】本発明に係り図１とはさらに異なるシステム系統図（過酸化水素水貯蔵タンクが複数の場合）。
【図５】本発明に係り図４とは異なるシステム系統図（紫外部吸光度を計測する場合）。
【図６】本発明に係り図１とはさらに異なるシステム系統図（過酸化水素注入用可変ポンプが複数の場合）。
【図７】被処理水のＴＯＣとオゾン注入率や過酸化水素注入率等の関係の請求項４の発明に係る実施例について説明する図。
【図８】被処理水のＴＯＣとオゾン注入率や過酸化水素注入率等の関係の請求項５または６の発明に係る実施例について説明する図。
【図９】薬注ポンプの単位時間当たりのストローク数と流量との関係を示す図。
【符号の説明】
【００３７】
１  導入口、２  オゾン接触槽、３  オゾン発生装置、４  散気装置（１）、５  促進酸化処理槽、６  散気装置（２）、７  過酸化水素注入用可変ポンプ、８  生物活性炭塔、９  排出口、１０  制御装置、１１  溶存オゾン監視装置、１２  過酸化水素水貯蔵タンク、１３  低流量可変ポンプ（１）、１４  返送された高度処理水、１５  可変ポンプ（２）、１６  添加用過酸化水素水貯蔵タンク、１７  オンラインＴＯＣ計、１８  脱塩素水、１９  過酸化水素注入用可変ポンプ（２）、２０  吸光光度計、２１  添加用過酸化水素水貯蔵タンク（２）
【図１】
2006281061.tif 000003
【図２】
2006281061.tif 000004
【図３】
2006281061.tif 000005
【図４】
2006281061.tif 000006
【図５】
2006281061.tif 000007
【図６】
2006281061.tif 000008
【図７】
2006281061.tif 000009
【図８】
2006281061.tif 000010
【図９】
2006281061.tif 000011